(57)【要約】【課題】塗布ヘッドを頭皮に当てて薬液を注出することができ、頭皮への物理的負荷が小さく、キャップを閉めた状態での液漏れも生じない計量注出塗布容器を提供する。【解決手段】薬液を収容する容器本体１２と、中栓１８を備える。中栓１８の仕切壁部２４に形成された透孔２５に摺動可能に取り付けられ、容器本体１２から引き上げられたときに容器本体１２に連通するバルブ６０を有する。薬液が注出されるノズル部６８と、ノズル部６８の先端部６８ａに取り付けられ柔軟な素材で作られた塗布ヘッド７６と、薬液を計量する計量器３８を備える。計量器３８は、閉鎖突起５４と、バルブ６０が摺動可能に挿通される挿通口５６と、挿通口５６の周囲に位置した内筒部５０を備える。塗布ヘッド７６の内面部７６ｂは、バルブ６０が下降した状態で、下端面が内筒部５０と閉鎖突起５４で囲まれた空間に嵌合する。キャップ８２の内側面に設けられた液止め筒部９０が、塗布ヘッド７６に液密に当接する。【選択図】図１
2019085177.tif 000002
【特許請求の範囲】
【請求項１】
一端部に口部が設けられ薬液を収容する容器本体と、前記口部に設けられこの口部を塞ぐ仕切壁部と前記仕切壁部に形成された透孔を有する中栓と、前記中栓の前記仕切壁部に形成された前記透孔に摺動可能に取り付けられ前記容器本体から引き上げられたときに前記容器本体に連通するバルブと、前記バルブの上部に設けられ前記薬液が注出されるノズル部と、前記ノズル部の先端部に取り付けられた塗布ヘッドと、前記薬液を計量する計量器が設けられ、
前記計量器は、筒状の定量筒部と、前記定量筒部を閉鎖するように環状に突出した閉鎖突起と、前記閉鎖突起の中心に位置し前記バルブが摺動可能に挿通される挿通口と、前記挿通口の周囲に位置し前記定量筒部から延長した内筒部を備え、
前記塗布ヘッドは、前記バルブの前記ノズル部を中心として前記ノズル部の外周側に位置して一周する環状に設けられ、前記塗布ヘッドの内面部は、前記バルブが下降した状態で、下端面が前記閉鎖突起に接し、
前記容器本体には、着脱自在にキャップが設けられ、前記キャップの上面の内側面には、円筒形状の液止め筒部が形成され、前記液止め筒部は、前記キャップを前記容器本体に取り付けて締めた状態で、前記塗布ヘッドを押圧し、液密に当接可能に設けられていることを特徴とする計量注出塗布容器。
【請求項２】
前記下端面は、前記内筒部と前記閉鎖突起で囲まれた空間に嵌合している請求項１記載の計量注出塗布容器。
【請求項３】
前記バルブの前記ノズル部を中心として、前記ノズル部の外周面と前記塗布ヘッドの内側との間に溝部が形成され、前記キャップの前記液止め筒部は、前記ノズル部の外周側に位置した前記溝部に液密に差し込まれる請求項１又は２記載の計量注出塗布容器。
【発明の詳細な説明】
【技術分野】
【０００１】
この発明は、薬用育毛剤等の薬液や化粧液等を収容し、一回の使用量を計量して取り出すことができる定量注出塗布容器に関する。
【背景技術】
【０００２】
従来、例えば薬用育毛剤等の薬液を収容し、一回の使用量を計量して一定化する定量注出容器には、特許文献１に開示されている定量注出容器がある。これは、一端部に取出口が形成された容器本体と、取出口に設けられた中栓と、中栓に取り付けられた計量筒部材と、計量筒部材に取り付けられた弁部材と、弁部材に着脱自在に取り付けられたキャップが設けられている。弁部材には、中栓を閉鎖する第一弁と、計量筒部材を閉鎖する第二弁が設けられ、弁部材の摺動により第一弁と第二弁が、中栓と計量筒部材を交互に切り替えて開閉するものである。キャップを容器本体から外す際には、弁部材がキャップに引かれて外側へ向かって移動し、弁部材の第二弁が計量筒部材を閉鎖するとともに第一弁が中栓から離れて容器本体内と計量筒部材とを連通させ、この状態で容器本体を倒立させて、計量筒部材に、収容している薬液を満たす。そして、弁部材を被塗布物に押し付けると、弁部材が内側に向かって移動し、第一弁が中栓を閉鎖するとともに第二弁が計量筒部材から離れ、容器本体内の薬液は密閉され、計量筒部材を満たしている薬液のみが注出されるものである。
【先行技術文献】
【特許文献】
【０００３】
【特許文献１】特開２００２−３３７９１０号公報
【発明の概要】
【発明が解決しようとする課題】
【０００４】
上記背景技術の場合、弁部材を被塗布物に押し付けて注出する時、弁部材は引き上げられた状態で周囲の部材に嵌合しているため、嵌合を解除して注出状態に切り替えるには相応の押力が必要である。被塗布物が頭皮等の場合は、バルブの先端を頭皮等に直接押し当てて注出状態に切り替えるので、先端部が小径であるため小さな押力であっても触覚的に負荷を感じるという問題がある。また、キャップを閉めた状態で、キャップと弁部材の注出口を液密状態に維持することが難しく、液漏れが生じる恐れがあった。
【０００５】
この発明は、上記背景技術の問題点に鑑みてなされたものであり、簡単な構造でノズル部の先端に塗布ヘッドを取り付け、塗布ヘッドを頭皮に当ててバルブを押し込み、薬液を注出することができ、頭皮への物理的負荷が小さく、キャップ閉めたときの液密状態も確実な計量注出塗布容器を提供することを目的とする。
【課題を解決するための手段】
【０００６】
本発明は、一端部に口部が設けられ薬液を収容する容器本体と、上記口部に設けられこの口部を塞ぐ仕切壁部と前記仕切壁部に形成された透孔を有する中栓と、前記中栓の前記仕切壁部に形成された前記透孔に摺動可能に取り付けられ前記容器本体から引き上げられたときに前記容器本体に連通するバルブと、前記バルブに一体に設けられ前記薬液が注出されるノズル部と、前記ノズル部の先端部に取り付けられ柔軟な素材で作られた塗布ヘッドと、前記薬液を計量する計量器が設けられている計量注出塗布容器である。前記計量器は、筒状の定量筒部と、前記定量筒部を閉鎖するように環状に突出した閉鎖突起と、前記閉鎖突起の中心に位置し前記バルブが摺動可能に挿通される挿通口と、前記挿通口の周囲に位置し前記定量筒部から延長した内筒部を備え、前記塗布ヘッドは、前記バルブの前記ノズル部を中心として前記ノズル部の外周側に位置して一周する環状に設けられ、前記塗布ヘッドの内面部は、前記バルブが下降した状態で、下端面が前記閉鎖突起に接する。前記容器本体には、着脱自在にキャップが設けられ、前記キャップの上面の内側面には、円筒形状の液止め筒部が形成され、前記液止め筒部は、前記キャップを前記容器本体に取り付けて締めた状態で、前記塗布ヘッドを押圧し、液密に当接可能に設けられている。
【０００７】
特に、前記下端面は、前記内筒部と前記閉鎖突起で囲まれた空間に嵌合しているものである。前記バルブの前記ノズル部を中心として、前記ノズル部の外周面と前記塗布ヘッドの内側との間に溝部が形成され、前記キャップの前記液止め筒部は、前記ノズル部の外周側に位置した前記溝部に液密に差し込まれるものである。
【０００８】
前記塗布ヘッドは、エラストマー等で設けられていると良いものである。さらに、前記塗布ヘッドの前記天面部には、上方に向かって半球形状に突出する複数個の塗布用突起が設けられていると良い。
【０００９】
また、前記計量注出塗布容器には、前記挿通口を一周する弁座部が設けられ、前記ノズル部には前記容器本体に押し込まれたときに前記定量筒部の内部空間である計量空間に連通する透孔と、前記弁座部を閉鎖し前記ノズル部が前記容器本体に押し込まれた時に前記弁座部を開放する弁が設けられ、前記ノズル部が前記容器本体に押し込まれた時に、前記計量器の前記計量空間に満たされた一定量の前記薬液が注出されるものである。
【発明の効果】
【００１０】
本発明の計量注出塗布容器は、簡単な構造でノズル部の先端に柔軟で大きい塗布ヘッドを取り付け、塗布ヘッドを頭皮に当ててバルブを押し込み、薬液を注出することができ、頭皮への物理的刺激が少なく、負荷を感じることがなく、使用感が良好である。さらに、キャップ閉めたときの液密状態も確実で、長期間の使用においてもキャップを閉めた状態での液漏れが生じないものである。
【図面の簡単な説明】
【００１１】
【図１】この発明の一実施形態の計量注出塗布容器の縦断面図である。
【図２】この実施形態の計量注出塗布容器の、バルブが計量状態にある時の縦断面図である。
【図３】この実施形態の定量注出塗布容器の計量状態を示す縦断面図である。
【図４】この実施形態の定量注出塗布容器の注出状態を示す縦断面図である。
【図５】この実施形態の定量注出塗布容器の斜視図である。
【発明を実施するための形態】
【００１２】
以下、この発明の実施形態について図面に基づいて説明する。図１〜図５は、この発明の一実施形態を示すもので、この実施形態の計量注出塗布容器１０は、図５に示すように有底筒状の容器本体１２を有し、容器本体１２はガラスや合成樹脂で作られている。容器本体１２の正立状態の上端部には、径が小さい円筒状の口部１４が一体に形成され、口部１４の外周面には雄ねじ１６が形成されている。
【００１３】
口部１４には、ＰＰ等の硬い合成樹脂で作られた中栓１８が嵌合されて取り付けられている。中栓１８には、口部１４の内側に嵌合される円筒状の取付部２０が設けられ、取付部２０の、上端部２０ａより少し下方の外周面には、口部１４の上端面に当接するフランジ部２２が外周面を一周して側方に突出して形成されている。取付部２０の、フランジ部２２と反対側の内周面には、取付部２０の開口部を閉鎖する仕切壁部２４が内周面を一周して形成されている。仕切壁部２４の中央には円形の透孔２５が形成され、透孔２５には、取付部２０の挿通方向に平行な中心軸を有する円筒部２６が一体に設けられている。円筒部２６は、上端部が仕切壁部２４に連続し、下端部が取付部２０の下端部付近に達し、円筒部２６の下端部には、円筒部２６の開口を閉鎖する底部２８が設けられている。円筒部２６には、４個の透孔３０が円周方向に９０°の間隔で形成され、円筒部２６の内側と、容器本体１２の内部空間を連通している。底部２８の中心には、円柱状の軸部３２が一体に設けられ、軸部３２は、円筒部２６の挿通方向に対して平行で、軸部３２の上端部は、軸方向に対して直角に位置する平面であり、仕切壁部２４よりわずかに長く上方に突出する所定位置に達している。なお、仕切壁部２４と円筒部２６の境界部分には、内周面に、断面Ｌ字状に切り欠かれた溝部が一周して形成された第１弁座部３４が、上方に開放して設けられている。仕切壁部２４は、第１弁座部３４に向かってすり鉢状に低くなっている。フランジ部２２の外周面には、後述する計量器３８が係止される段部２２ａが設けられている。
【００１４】
口部１４の上端部には、外周面に突出して一周する係合突部３６が設けられ、係合突部３６には、計量器３８が取り付けられている。計量器３８は、ＰＰ等の硬い合成樹脂で作られ、容器本体１２の口部１４の先端に、口部１４の挿通方向の延長に取り付けられる円筒体である。計量器３８の下端部は、口部１４の先端を、中栓１８のフランジ部２２とともに覆う取付筒部４０であり、取付筒部４０の内周面には、口部１４の係合突部３６が差し込まれる係合凹部４２が一周して設けられている。取付筒部４０の内周面の、係合凹部４２より少し上には、中栓１８のフランジ部２２の段部２２ａが嵌合されて係止される段部４０ａが一周して設けられている。取付筒部４０の上端部には、取付筒部４０よりも径が小さい定量筒部４４が連続して設けられている。定量筒部４４は、中栓１８の取付部２０のフランジ部２２よりも上の部分に、中栓１８の外側から密着する内径を有し、定量筒部４４の内部空間は、中栓１８の円筒部２６に連通した計量空間４６となる。定量筒部４４の上端部には、定量筒部４４よりも径が小さい注出筒部４８が連続して設けられている。注出筒部４８の内側には、注出筒部４８よりも小さい径の内筒部５０が設けられ、注出筒部４８と内筒部５０は所定間隔を開けて、リング状の底部５２で連結されている。底部５２は、注出筒部４８から内筒部５０に近づくに連れて上昇し、円錐台状に傾斜している。内筒部５０の内周面には、内周面から中心に向って突出する閉鎖突起５４が一周して形成され、閉鎖突起５４の中心の空間は後述するバルブ６０が挿通される挿通口５６となる。なお、閉鎖突起５４の下側面は、第２弁座部５８となる。
【００１５】
中栓１８と計量器３８の内側には、ＰＰ等の硬い合成樹脂で作られたバルブ６０が設けられている。バルブ６０には、中栓１８の軸部３２が摺動可能に嵌合する円筒部６２が、下方に開口されて設けられている。円筒部６２の開口された下端部には、円筒部６２の外周面から側方へ一周して突出し中栓１８の第１弁座部３４に密着する第１弁６４が設けられている。円筒部６２の上端部の突き止まり付近の外周面には、側方へ一周して突出し計量器３８の挿通口５６を塞いで第２弁座部５８に密着する第２弁６６が設けられている。第１弁６４と第２弁６６の間隔は、中栓１８の第１弁座部３４と、計量器３８の第２弁座部５８の距離より短く設定され、バルブ６０は、第１弁６４が中栓１８の第１弁座部３４を閉鎖する注出状態と、第２弁６６が計量器３８の第２弁座部５８を閉鎖する計量状態との間を摺動可能であり、バルブ６０の摺動により注出状態と計量状態を交互に切り替えるものである。
【００１６】
バルブ６０の、第２弁６６から円筒部６２と反対側の部分には、計量器３８の挿通口５６の内径とほぼ等しい直径を有する円筒状のノズル部６８が、円筒部６２の挿通方向に対して平行に円筒部６２の反対側に突出して形成されている。ノズル部６８には、第２弁６６の近傍に、４個の透孔７４が円周方向に９０°の間隔で形成され、ノズル部６８の内周面と外周面を連通している。透孔７４は、第２弁６６が計量器３８の第２弁座部５８を閉鎖する計量状態では、計量器３８の閉鎖突起５４の上方に位置し、計量空間４６とノズル部６８内部は遮断される。第１弁６４が中栓１８の第１弁座部３４を閉鎖する注出状態では計量器３８の閉鎖突起５４の下方に位置し、計量空間４６とノズル部６８内部は連通される。そして、ノズル部６８の外周面には、透孔７４の少し上の位置に、後述する塗布ヘッド７６が係止される係止溝部７０が一周して設けられている。ノズル部６８の外周面の、係止溝部７０の少し上の位置には、後述するキャップ８２が係止される係止溝部７２が一周して設けられている。係止溝部７２は、係止溝部７０よりも浅くてなだらかに形成されている。
【００１７】
バルブ６０のノズル部６８の先端部６８ａは、計量器３８の閉鎖突起５４の上方に突出して取り付けられ、突出した部分に、塗布ヘッド７６が設けられている。塗布ヘッド７６は、柔軟なエラストマー等の材料で設けられている。塗布ヘッド７６は、バルブ６０のノズル部６８を中心として一定幅の溝部７７を空けて一周する環状に設けられ、半径方向の断面形状は薄肉シートが逆Ｕ字形に折り曲げられ、湾曲部分がその両側の部分よりも薄肉に形成された形状である。塗布ヘッド７６には、ノズル部６８の外周面を所定幅の溝部７７を空けて囲む円筒状の内面部７６ｂと、内面部７６ｂの外側を一周する円筒状の外面部７６ａと、内周部７６ｂと外面部７６ａの上端部同士を連結する薄肉の天面部７６ｃが設けられている。
【００１８】
塗布ヘッド７６の外面部７６ａの下端部は、内面部７６ｂの下端部よりも下方に少し長く形成されている。外面部７６ａは、計量器３８の注出筒部４８を摺動可能に外側から嵌合し、バルブ６０の上下の移動に追従して動く際に、外面部７６ａの下端部が、バルブ６０が上昇した計量状態の時に注出筒部４８の上端部に重なって外れない長さであり、またバルブ６０が下降した注出状態の時に注出筒部４８の下端部の定量筒部４４に当接しない長さである。
【００１９】
塗布ヘッド７６の内面部７６ｂは、バルブ６０のノズル部６８よりも溝部７７の幅の分だけ径が大きく、そして計量器３８の内筒部５０とほぼ同じ直径を有し、計量器３８に対してバルブ６０が下降した注出状態の時に、下端面の中央部分が、内筒部５０と閉鎖突起５４で囲まれた皿状の空間に嵌合される形状である。また、内面部７６ｂの内周面には、バルブ６０の係止溝部７０に嵌合され係止される係止突部７８が一周して設けられている。係止突部７８の内面部７６ｂからの突出長さは、係止溝部７０の深さよりも、溝部７７の幅の分だけ長く形成されている。
【００２０】
塗布ヘッド７６の天面部７６ｃの湾曲した上側面はバルブ６０のノズル部６８の先端部６８ａよりも少し高い位置に設けられている。天面部７６ｃの上側面には、上方に向かって半球形状に突出する複数個の塗布用突起８０が円周方向に沿って等間隔に設けられている。天面部７６ｃの湾曲した下側面は、バルブ６０が下降した注出状態の時に計量器３８の注出筒部４８に接触しない高さに設定されている。
【００２１】
また、容器本体１２の口部１４には、着脱自在なキャップ８２が設けられている。キャップ８２は、円板状の上面８４と、上面８４の周縁部に連続する円筒状の側面８６が設けられている。側面８６の内周面には、容器本体１２の口部１４の雄ねじ１６に螺合される雌ねじ８８が形成されている。上面８４は、塗布ヘッド７６の天面部７６ｃの内側に差し込まれるように僅かに傾斜した斜面を有する円錐台形状に下方に突出し、円錐台形状の円周上には、塗布ヘッド７６の内面部７６ｂと、バルブ６０のノズル部６８の外周面の間の溝部７７に液密に差し込まれる円筒形状の液止め筒部９０が設けられている。液止め筒部９０の内周面には、ノズル部６８の係止溝部７２に嵌合される突起であるバルブ引き上げフック９２が断続的に設けられている。液止め筒部９０の内側には、ノズル部６８の内周面に密着して差し込まれる短い円筒形状の差込筒部９４が設けられている。上面８４の、側面８６と液止め筒部９０の間には、押さえ筒部９６が設けられている。押さえ筒部９６は側面８６よりも少し小さい直径を有する円筒状であり、側面８６の内周面から所定間隔離れて設けられ、押さえ筒部９６の下端部は、キャップ８２を容器本体１２に閉めた時に計量器３８の、取付筒部４０と定量筒部４４の間に形成される段部４５に当接し、計量器３８を押さえ、また中栓１８を計量器３８と容器本体１２の間に挟んで保持する。
【００２２】
次に、この実施形態の計量注出塗布容器１０の組立方法について説明する。まず、計量器３８の取付筒部４０側から、バルブ６０のノズル部６８を入れ、閉鎖突起５４の挿通口５６からノズル部６８を上方に突出させる。この時、バルブ６０の一部に挿通口５６よりもわずかに太い部分を設けて入れる時にクリック感を出し、入れた後は係止されて抜けないようにしても良い。計量器３８の挿通口５６から上方に突出したバルブ６０のノズル部６８に、塗布ヘッド７６を取り付ける。塗布ヘッド７６は、内面部７６ｂの内側に、天面部７６ｃと反対側からノズル部６８を差し込み、塗布ヘッド７６の突部７８をノズル部６８の係止溝部７０に嵌合させ、外面部７６ａを注出筒部４８の外側に嵌合させて取り付ける。次に、計量器３８の取付筒部４０に中栓１８を取り付ける。中栓１８の取付部２０を、底部２８と反対側の端部から計量器３８の取付筒部４０の中に入れ、定量筒部４４の内周面に嵌合させる。中栓１８のフランジ部２２が定量筒部４４の下端部に当接してそれ以上差し込むことを防ぐ。このときフランジ部２２の段部２２ａが取付筒部４０の段部４０ａに係止され、抜け落ちることがない。この時、中栓１８の軸部３２は、バルブ６０の円筒部６２の内側に摺動可能に挿入される。
【００２３】
次に、育毛剤や養毛剤等の薬液９８を入れた容器本体１２の口部１４に、中栓１８と計量器３８、バルブ６０、塗布ヘッド７６を、互いに組み付けた上記の状態で取り付ける。先ず中栓１８の取付部２０を、底部２８側の端部から口部１４の中に入れる。取付部２０は口部１４の内周面に液密に嵌合され、フランジ部２２は口部１４の上端面に当接してそれ以上差し込むことを防ぐ。このとき計量器３８の係合凹部４２に口部１４の係合突部３６が嵌合され係止されて、抜け落ちることがない。
【００２４】
さらに、容器本体１２の口部１４に、キャップ８２を取り付ける。キャップ８２を塗布ヘッド７６の天面部７６ｃの上からかぶせ、軸周りに回して雌ねじ８８を口部１４の雄ねじ１６に螺合させて取り付ける。計量器３８の段部４５は、キャップ８２の押さえ筒部９６に押圧され、中栓１８を容器本体１２の口部１４との間に挟んだ状態で閉じられ、図１に示すように密封状態となる。この時、バルブ６０と塗布ヘッド７６は、液止め筒部９０に押されて下降し、バルブ６０の第１弁６４が中栓１８の第１弁座部３４を閉鎖する注出状態になり、容器本体１２の内部と計量空間４６とは遮断されている。この状態では容器本体１２を傾けても容器本体１２に収容している薬液が出ることがなく、計量注出塗布容器１０を安全に運搬したり保管したりすることができる。
【００２５】
次に、計量注出塗布容器１０の使用方法について説明する。容器本体１２から薬液９８を取り出して使用するときは、まずキャップ８２を軸周りに回して、雌ねじ８８と口部１４の雄ねじ１６の螺合を解除し、キャップ８２を、バルブ６０の挿通方向に対して略平行に引き上げて外す。この時、キャップ８２のバルブ引き上げフック９２はバルブ６０の係止溝部７２に差し込まれてある程度の強さで係止されているため、キャップ８２の引き上げに伴いバルブ６０と塗布ヘッド７６は摺動して引き上げられる。バルブ６０の円筒部６２が中栓１８の軸部３２に摺動可能に嵌合されているため、軸部３２の軸方向に沿って摺動する。バルブ６０の第２弁６６が、計量器３８の閉鎖突起５４の第２弁座部５８に当接したときにバルブ６０はそれ以上引き上がらずに止まる。さらにキャップ８２を引き上げると、バルブ引き上げフック９２とバルブ６０の係止溝部７２との係合が外れ、キャップ８２が外れる。この時、図２に示すように、バルブ６０の第２弁６６が、計量器３８の第２弁座部５８を閉鎖し、第１弁６４が中栓１８の第１弁座部３４を開いて、容器本体１２の内部空間が計量器３８に連通する計量状態となる。
【００２６】
そして、この計量状態で容器本体１２を倒立させると、図３に示すように、容器本体１２内の薬液９８が中栓１８の透孔３０を通過して計量器３８の計量空間４６に流入して充満し、一定量が計量される。なお、バルブ６０の第２弁６６は計量器３８の第２弁座部５８を塞いでいるため、計量空間４６内の薬液９８がノズル部６８から外に漏れることはない。この状態では、中栓１８の仕切壁部２４が透孔２５に近づくにつれて上方に位置する傾斜面となり、薬液９８が確実に計量空間４６内に充満する。これは、仕切壁部２４が水平な面であると、容器本体１２を正確に垂直に倒立させないと仕切壁部２４と取付部２０の間に空気溜まりが形成されてしまい、薬液９８が計量空間４６内に充満せず正確な計量ができないという問題を解決するものである。
【００２７】
その状態のまま頭皮等の被塗布面に近づけ、塗布ヘッド７６の天面部７６ｃで被塗布面に押し付ける。すると、図４に示すように、バルブ６０が計量器３８内に押し下げられて第１弁６４が第１弁座部３４を閉鎖し、第２弁６６は第２弁座部５８から離れ、バルブ６０の透孔７４が計量器３８の計量空間４６に露出して計量空間４６がノズル部６８に連通する。そして、計量空間４６内に充満していた薬液９８は、透孔７４を通ってノズル部６８の中に流れ、先端部６８ａから外に出る。この時、第１弁６４は第１弁座部３４を塞いでいるため、容器本体１２内の薬液９８は流出せず、計量空間４６内に充満していた薬液９８だけが注出されるので、容器本体１２内の薬液９８が余分に出ることがなく、一定量である。しかし、ノズル部６８は小径であるため、容器を倒立させただけでは薬液９８が連続的には注出されない。ここで、塗布ヘッド７６の天面である天面部７６ｃで頭皮を軽く叩くようにし、叩いたときの衝撃で注出口から薬液９８を少量ずつ注出する。塗布ヘッド７６の天面である天面部７６ｃと、ノズル部６８の先端部６８ａの間には溝部７７が設けられており、互いに接触していないため、ノズル部６８から出た薬液９８は塗布ヘッド７６に移ることがなく、小径のノズル部６８からピンポイントで頭皮に直接滴下される。そして、被塗布面に少量ずつまんべんなく滴下された薬液９８を、塗布ヘッド７６で軽く叩きながら、頭皮に浸透させるように塗布する。
【００２８】
使用後は、再び容器本体１２を正立させ、キャップ８２を取り付け、キャップ８２の液止め筒部９０に塗布ヘッド７６とバルブ６０が押され、第１弁６４が第１弁座部３４を塞いだ注出状態で液密となり、安全に保管される。
【００２９】
この実施形態の計量注出塗布容器１０によれば、簡単な構造でノズル部６８の先端に柔軟で大きい塗布ヘッド７６を取り付け、塗布ヘッド７６を頭皮に当ててバルブ６０を押し込み、薬液９８を注出することができ、頭皮への刺激が少なく、触覚的な負荷を感じることがなく、使用感が良好である。しかも一定量の薬液９８を確実に計量し、正確に使用することができる。キャップ８２を外すことにより、自動的にバルブ６０を計量状態へ切り替えることができ、容器本体１２を倒立させ、次に被塗布面に塗布ヘッド７６を押し当てるだけで、自動的に計量状態から注出状態への切り換え操作と、注出操作を一度に行うことができ、工程が少なく短時間で塗布することができる。
【００３０】
さらに、使用時においては、塗布ヘッド７６は柔軟なエラストマーで薄肉に作られ、湾曲部分が適度に撓んで容易に変形するものであり、頭皮に押し付けて叩いた時に、衝撃を和らげることができ、刺激が少なく、痛みがなく、感触が良いので、心地よくマッサージしながら塗布することができる。塗布ヘッド７６の天面である天面部７６ｃは、ノズル部６８の先端部６８ａよりも高く設けられているため、硬い材料で作られたノズル部６８が頭皮に当たることがない。塗布ヘッド７６の内面部７６ｂと、バルブ６０のノズル部６８の外周面との間に溝部７７が設けられているため、ノズル部６８から注出された薬液９８は塗布ヘッド７６に伝わることがなく、垂直に頭皮に滴下するため、塗布する位置を正確に狙うことができる。
【００３１】
その他、薬液９８を無駄にすることがなく、必要な位置に所定の量を効果的に滴下することができる。塗布ヘッド７６は、ノズル部６８の係止溝部７０に係止突部７８が嵌合されて確実に取り付けられ、外れることがなく、容器本体１２を移動させて軽く叩くだけで、塗布ヘッド７６で薬液９８をまんべんなく塗布することができる。塗布ヘッド７６の天面部７６ｃには塗布用突起８０が設けられ、頭皮を天面部７６ｃで軽く叩いた時のマッサージ効果が増し、感触も良好となる。また、キャップ８２に、溝部７７と嵌合する液止め筒部９０とバルブ引き上げフック９２を設けることができ、確実な液密状態で運搬や保管を行うことができ、キャップ８２を外す際にはバルブ６０を確実に計量状態に引き上げることができ、構造がシンプルで注出する操作の工程も簡単で使用しやすい。
【００３２】
なお、この発明の計量注出塗布容器は上記実施の形態に限定されるものではなく、材料や形状等自由に変更可能である。キャップとバルブを係止するバルブ引き上げフックと係止溝部の形状も、確実に適度な力で係止され大きな力を加えると外れるものであればよい。また、中栓の軸部と、軸部に摺動可能に嵌合するバルブの円筒部の形状も、上記実施形態に限定されず、がたつき無く確実にバルブが一定方向に移動するものであればよい。また、用途は、薬品や化粧品、その他液体を収容して定量取り出すものであれば良く、上記実施形態には限定されない。中栓の透孔や、バルブの透孔の数や形状も、上記以外でもよく、計量注出塗布容器を組み立てる順番も、適宜変更可能である。
【符号の説明】
【００３３】
１０  計量注出塗布容器
１２  容器本体
１４  口部
１８  中栓
２４  仕切壁部
２５  透孔
３４  第１弁座部
３８  計量器
４４  定量筒部
４６  計量空間
５４  閉鎖突起
５６  挿通口
５８  第２弁座部
６０  バルブ
６４  第１弁
６６  第２弁
６８  ノズル部
６８ａ  先端部
７４  透孔
７６  塗布ヘッド
７６ａ  外面部
７６ｂ  内面部
７６ｃ  天面部
７７  溝部
８０  塗布用突起
９８  薬液
【図１】
2019085177.tif 000003
【図２】
2019085177.tif 000004
【図３】
2019085177.tif 000005
【図４】
2019085177.tif 000006
【図５】
2019085177.tif 000007